(57)【特許請求の範囲】
【請求項１】
ペアリングされた外部機器と通信を行う通信部と、
アプリケーションがインストールされた保存部と、
前記外部機器から前記保存部にインストールされたアプリケーションのうち、選択されたアプリケーションに対応するログイン情報が受信されると、前記受信されたログイン情報を用いてログインを行う制御部と、
前記ログインが完了すると、前記選択されたアプリケーションに対応する実行画面をディスプレイするディスプレイ部と
を含むディスプレイ装置。
【請求項２】
前記制御部は、
前記保存部にインストールされたアプリケーションのうちの一つが選択されると、前記選択されたアプリケーションに対応するログイン情報を前記保存部から探索し、
前記ログイン情報が探索された場合、前記探索されたログイン情報を用いて前記ログインを行い、前記ログイン情報が未探索の場合、前記ログイン情報を前記外部機器に要求するように前記通信部を制御することを特徴とする請求項１に記載のディスプレイ装置。
【請求項３】
前記外部機器に対するペアリング要求を入力される入力部と、
前記ペアリング要求が入力されると、前記外部機器とのペアリングを行うペアリング処理部とを更に含み、
前記保存部は、少なくとも一つの外部機器の識別情報を含むペアリング情報を保存し、
前記ペアリング処理部は、
前記ペアリング要求が入力されると、前記外部機器に対するペアリング情報を前記保存部から読み取り、前記読み取られたペアリング情報を用いて前記外部機器とペアリングを行い、前記外部機器に対するペアリング情報が前記保存部に未保存の状態であれば、前記通信部を介してペアリング可能な周辺機器を探索することを特徴とする請求項１に記載のディスプレイ装置。
【請求項４】
前記保存部は、
各アプリケーションに対して実行可能な機器情報を保存し、
前記ペアリング処理部は、
前記外部機器から前記ログイン情報が受信されていない場合、前記保存部に保存された機器情報に応じて、前記選択されたアプリケーションが実行可能な他機器とのペアリングを行うことを特徴とする請求項３に記載のディスプレイ装置。
【請求項５】
前記ペアリング処理部は、
前記通信部を介して外部機器からペアリング要求情報が受信されると、前記ペアリング要求情報を伝送した外部機器にペアリングを行うための識別情報を含むペアリング情報を伝送することを特徴とする請求項３に記載のディスプレイ装置。
【請求項６】
前記制御部は、
前記通信部を介してペアリングされた外部機器からアプリケーションを実行するためのログイン情報要求メッセージが受信されると、前記保存部から前記ログイン情報要求メッセージに関連するアプリケーションのログイン情報を前記外部機器に伝送することを特徴とする請求項５に記載のディスプレイ装置。
【請求項７】
ディスプレイ装置においてアプリケーションを実行する方法において、
外部機器とペアリングを行うステップと、
前記外部機器から予めインストールされたアプリケーションのうち、選択されたアプリケーションに対応するログイン情報が受信されると、前記受信されたログイン情報を用いてログインを行うステップと、
前記ログインが完了すると、前記選択されたアプリケーションに対応する実行画面をディスプレイするステップと
を含むアプリケーション実行方法。
【請求項８】
前記ログインを行うステップは、
前記予めインストールされたアプリケーションのうちの一つが選択されると、前記選択されたアプリケーションに対応するログイン情報が保存されているか否かを探索するステップと、
前記探索結果、前記ログイン情報が保存されている場合、前記ログイン情報を用いて前記選択されたアプリケーションの実行のためのログインを行い、前記ログイン情報が保存されていない場合、前記外部機器に前記ログイン情報を要求するステップと
を含むことを特徴とする請求項７に記載のアプリケーション実行方法。
【請求項９】
前記外部機器に対するペアリング要求を入力されるステップと、
前記ペアリング要求が入力されると、前記外部機器とのペアリングを行うステップとを更に含み、
前記ペアリングを行うステップは、
前記ペアリング要求が入力されると、少なくとも一つの外部機器の識別情報を含むペアリング情報が保存された保存部から前記外部機器に対するペアリング情報を読み取り、前記読み取られたペアリング情報を用いて前記外部機器とペアリングを行い、前記外部機器に対するペアリング情報が前記保存部に未保存の状態であれば、ペアリング可能な周辺機器を探索することを特徴とする請求項７に記載のアプリケーション実行方法。
【請求項１０】
前記保存部は、各アプリケーションに対して実行可能な機器情報を保存し、
前記ペアリングを行うステップは、
前記外部機器から前記ログイン情報が受信されていない場合、前記保存部に保存された機器情報に応じて、前記選択されたアプリケーションが実行可能な他機器とのペアリングを行うことを特徴とする請求項９に記載のアプリケーション実行方法。
【請求項１１】
前記外部機器からペアリング要求情報が受信されると、前記ペアリング要求情報を伝送した外部機器にペアリングを行うための識別情報を含むペアリング情報を伝送するステップを更に含むことを特徴とする請求項７に記載のアプリケーション実行方法。
【請求項１２】
前記ペアリングされた外部機器からアプリケーションを実行するためのログイン情報要求メッセージが受信されると、予めインストールされた前記アプリケーションのログイン情報を前記外部機器に伝送するステップを更に含むことを特徴とする請求項１１に記載のアプリケーション実行方法。
【請求項１３】
前記制御部は、
前記通信部を介して、前記選択されたアプリケーションに対応するログイン情報を前記外部機器に要求することを特徴とする請求項１に記載のディスプレイ装置。
【請求項１４】
前記外部機器に前記選択されたアプリケーションに対応するログイン情報を要求するステップを更に含むことを特徴とする請求項７に記載のアプリケーション実行方法。
【発明の詳細な説明】
【技術分野】
【０００１】
本発明は、ディスプレイ装置及び方法に関し、より詳細には、アプリケーションの実行環境を改善するためのディスプレイ装置及び方法に関する。
【背景技術】
【０００２】
通常、スマートテレビやモバイル機器、タブレットパソコンのようなディスプレイ装置或いは携帯用の端末装置はインターネット通信が可能となったことにより、フェイスブック（登録商標）やツイッター（登録商標）、メールサービスのような多様なアプリケーションを実行することができる。即ち、ユーザは、インターネットが可能なディスプレイ装置或いは携帯用の端末装置を介して、このような多様なアプリケーションをインストールして利用することができる。
【０００３】
しかし、このようなアプリケーションをそれぞれの機器で利用するためには、当該アプリケーションがインストールされた機器毎にログイン情報を入力しなければならないという不都合があった。例えば、“フェイスブック（登録商標）”のアプリケーションに対する応用プログラムがモバイル機器とタブレットパソコンにインストールされている状態で、ユーザは、モバイル機器を通じて“フェイスブック（登録商標）”のアプリケーションをログインしてサービスを利用することができる。このように、モバイル機器を通じてサービス利用の途中、タブレットパソコンを通じて“フェイスブック（登録商標）”のアプリケーションを利用するために、ユーザはタブレットパソコンにインストールされた“フェイスブック（登録商標）”のアプリケーションに対するログイン情報を入力しなければならない。
【０００４】
このように、ユーザは、機器別に同一のアプリケーションがインストールされていても、当該機器でアプリケーションを実行するためには毎回ログイン情報を入力しなければならないという不都合が生じるという問題があった。
【発明の概要】
【発明が解決しようとする課題】
【０００５】
そこで、本発明は、上記問題に鑑みてなされたものであり、本発明の目的とするところは、アプリケーションのようなサービス利用の利便性をより高めることにある。
【課題を解決するための手段】
【０００６】
前記目的を達成するための本発明の一実施形態に係るディスプレイ装置は、ペアリングされた外部機器と通信を行う通信部と、アプリケーションがインストールされた保存部と、前記保存部にインストールされたアプリケーションのうちの一つが選択されると、前記選択されたアプリケーションに対応するログイン情報を前記外部機器に要求するように前記通信部を制御し、前記外部機器から前記ログイン情報が受信されると、前記ログイン情報を用いてログインを行う制御部と、前記ログインが完了すると、前記選択されたアプリケーションに対応する実行画面をディスプレイするディスプレイ部とを含む。
【０００７】
そして、前記制御部は、前記保存部にインストールされたアプリケーションのうちの一つが選択されると、前記選択されたアプリケーションに対応するログイン情報を前記保存部から探索し、前記ログイン情報が探索された場合、前記探索されたログイン情報を用いて前記ログインを行い、前記ログイン情報が未探索の場合、前記ログイン情報を前記外部機器に要求するように前記通信部を制御してよい。
【０００８】
なお、前記外部機器に対するペアリング要求を入力される入力部と、前記ペアリング要求が入力されると、前記外部機器とのペアリングを行うペアリング処理部とを更に含み、前記保存部は、少なくとも一つの外部機器の識別情報を含むペアリング情報を保存し、前記ペアリング処理部は、前記ペアリング要求が入力されると、前記外部機器に対するペアリング情報を前記保存部から読み取り、前記読み取られたペアリング情報を用いて前記外部機器とペアリングを行い、前記外部機器に対するペアリング情報が前記保存部に未保存の状態であれば、前記通信部を介してペアリング可能な周辺機器を探索してよい。
【０００９】
そして、前記保存部は、各アプリケーションに対して実行可能な機器情報を保存し、前記ペアリング処理部は、前記外部機器から前記ログイン情報が受信されていない場合、前記保存部に保存された機器情報に応じて、前記選択されたアプリケーションが実行可能な他機器とのペアリングを行ってよい。
【００１０】
なお、前記ペアリング処理部は、前記通信部を介して外部機器からペアリング要求情報が受信されると、前記ペアリング要求情報を伝送した外部機器にペアリングを行うための識別情報を含むペアリング情報を伝送してよい。
【００１１】
そして、前記制御部は、前記通信部を介してペアリングされた外部機器からアプリケーションを実行するためのログイン情報要求メッセージが受信されると、前記保存部から前記ログイン情報要求メッセージに関連するアプリケーションのログイン情報を前記外部機器に伝送してよい。
【００１２】
一方、前記目的を達成するための本発明の別の実施形態に係るディスプレイ装置においてアプリケーションを実行する方法において、前記方法は、外部機器とペアリングを行うステップと、予めインストールされたアプリケーションのうちの一つが選択されると、前記選択されたアプリケーションに対応するログイン情報を前記外部機器に要求し、前記要求されたログイン情報が受信されると、前記受信されたログイン情報を用いてログインを行うステップと、前記ログインが完了すると、前記選択されたアプリケーションに対応する実行画面をディスプレイするステップとを含む。
【００１３】
そして、前記ログインを行うステップは、前記予めインストールされたアプリケーションのうちの一つが選択されると、前記選択されたアプリケーションに対応するログイン情報が保存されているか否かを探索するステップと、前記探索結果、前記ログイン情報が保存されている場合、前記ログイン情報を用いて前記選択されたアプリケーションの実行のためのログインを行い、前記ログイン情報が保存されていない場合、前記外部機器に前記ログイン情報を要求するステップとを含んでよい。
【００１４】
なお、前記外部機器に対するペアリング要求を入力されるステップと、前記ペアリング要求が入力されると、前記外部機器とのペアリングを行うステップとを更に含み、前記ペアリングを行うステップは、前記ペアリング要求が入力されると、少なくとも一つの外部機器の識別情報を含むペアリング情報が保存された保存部から前記外部機器に対するペアリング情報を読み取り、前記読み取られたペアリング情報を用いて前記外部機器とペアリングを行い、前記外部機器に対するペアリング情報が前記保存部に未保存の状態であれば、ペアリング可能な周辺機器を探索してよい。
【００１５】
そして、前記保存部は、各アプリケーションに対して実行可能な機器情報を保存し、前記ペアリングを行うステップは、前記外部機器から前記ログイン情報が受信されていない場合、前記保存部に保存された機器情報に応じて、前記選択されたアプリケーションが実行可能な他機器とのペアリングを行ってよい。
【００１６】
なお、前記外部機器からペアリング要求情報が受信されると、前記ペアリング要求情報を伝送した外部機器にペアリングを行うための識別情報を含むペアリング情報を伝送するステップを更に含んでよい。
【００１７】
そして、前記ペアリングされた外部機器からアプリケーションを実行するためのログイン情報要求メッセージが受信されると、予めインストールされた前記アプリケーションのログイン情報を前記外部機器に伝送するステップを更に含んでよい。
【発明の効果】
【００１８】
以上説明したように、本発明によれば、本発明の多様な実施形態によると、ディスプレイ装置は、ユーザの要求に該当するアプリケーションのログイン情報が予め保存されていない場合、周辺の外部機器から当該アプリケーションのログイン情報を受信してログインを行ったり、外部機器に要求したアプリケーションのログイン情報を提供することができる。即ち、一つのログイン情報を用いて複数の機器にインストールされたそれぞれのアプリケーションを実行することができ、ユーザはアプリケーションのようなサービスをより便利に利用することができる。
【図面の簡単な説明】
【００１９】
【図１】本発明の一実施形態に係るディスプレイ装置のブロック図である。
【図２】本発明の一実施形態に係るディスプレイ装置でペアリングされた外部機器に保存されたログイン情報を用いてアプリケーションを実行する動作の例示図である。
【図３】本発明の一実施形態に係るディスプレイ装置でアプリケーションを実行する方法のフローチャートである。
【図４】本発明の一実施形態に係るディスプレイ装置でペアリングされた外部機器にログイン情報を要求する方法のフローチャートである。
【図５】本発明の一実施形態に係るディスプレイ装置で外部機器とペアリングを行う方法のフローチャートである。
【発明を実施するための形態】
【００２０】
以下に添付図面を参照しながら、本発明の好適な実施形態について詳細に説明する。
図１は、本発明の一実施形態に係るディスプレイ装置のブロック図である。
【００２１】
図１に示すように、ディスプレイ装置は、通信部１１０と、入力部１２０と、保存部１３０と、制御部１４０と、ディスプレイ部１５０及びペアリング処理部１６０を含む。
【００２２】
通信部１１０は、ペアリングされた外部機器と無線通信を行う。実施形態によって、通信部１１０は、ブルートゥース（Ｂｌｕｅｔｏｏｔｈ（登録商標））、ＷｉＦｉのような近距離無線通信を通じて行う。外部機器は、例えば、モバイル機器、タブレットパソコンのような無線通信端末機器として、ディスプレイ装置と同様の無線通信モジュールを含むことが望ましい。従って、通信部１１０は、このような外部機器の少なくとも何れか一つの外部機器とデータ送受信関連の無線通信を行うか、或いは、ペアリングされた外部機器と無線通信を行ってよい。
【００２３】
入力部１２０は、ユーザ操作命令を受信するものとして、ディスプレイ装置に備えられた入力ボタン或いはリモコンのような遠隔制御装置から入力されたユーザ操作命令が入力される。保存部１３０は、ディスプレイ装置で実行可能な少なくとも一つのアプリケーションのインストール情報が保存される。
【００２４】
制御部１４０は、保存部１３０にインストールされたアプリケーションのうちの一つが選択されると、選択されたアプリケーションに対応するログイン情報をペアリングされた外部機器に要求するように通信部１１０を制御する。その後、通信部１１０を介してペアリングされた外部機器から要求したログイン情報が受信されると、制御部１４０は、受信されたログイン情報を用いて当該アプリケーションのログイン、即ち、ユーザ認証を行う。このように、アプリケーションのログインが完了すると、ディスプレイ部１５０は、ログインされたアプリケーションに対応する実行画面をディスプレイする。
【００２５】
具体的に、ユーザはディスプレイ装置で実行可能なアプリケーションのうちの一つのアプリケーションを実行するためのアプリケーションリストを要求することができる。このような要求が、入力部１２０を介して入力されると、制御部１４０は、保存部１３０に保存された全てのアプリケーションリストをディスプレイ部１５０を介してディスプレイされるように制御する。従って、ユーザは、ディスプレイ部１５０を介して画面上にディスプレイされたアプリケーションリストの中から一つのアプリケーションを選択することができる。
【００２６】
しかし、本発明はそれに限定せず、ユーザはアプリケーションリストを要求することなく、自分が利用しようとするアプリケーションを要求することができる。
【００２７】
このように、ユーザの要求により、保存部１３０に保存された複数のアプリケーションのうちの一つのアプリケーションが選択されると、制御部１４０は選択されたアプリケーションの活性化のためのログイン情報が保存部１３０に保存されているかを探索する。探索結果、ユーザから選択されたアプリケーションに対応するログイン情報が保存部１３０に保存されている場合、制御部１４０は、当該ログイン情報を用いてログインを行う。
【００２８】
一方、探索結果、ユーザから選択されたアプリケーションに対応するログイン情報が保存されていない場合、制御部１４０は、ペアリングされた外部機器に当該アプリケーションのログインのためのログイン情報を要求するように通信部１１０を制御する。
【００２９】
このような制御命令に応じて、通信部１１０はペアリングされた外部機器にユーザから選択されたアプリケーションに識別情報を含むログイン情報要求メッセージを伝送する。その後、ペアリングされた外部機器から当該アプリケーションのログイン情報を含む応答メッセージが通信部１１０を介して受信されると、制御部１４０は、受信されたログイン情報を用いてユーザから選択されたアプリケーションのログインを行うことができる。
【００３０】
このように、本発明に係るディスプレイ装置は、保存部１３０にインストールされたアプリケーションの自動実行のためのログイン情報が保存されていなくても、外部機器から当該アプリケーションの自動実行のためのログイン情報を受信してアプリケーションのログインを行うことにより、ユーザはそれぞれの機器毎に同じアプリケーションに対するログイン情報を入力しなければならない手間を最小限化することができる。
【００３１】
一方、外部機器に保存されたアプリケーションのログイン情報を利用するためには、ログイン情報が保存された外部機器とペアリングが行われなければならない。従って、本発明に係るディスプレイ装置は、ペアリング処理部１６０を更に含み、このようなペアリング処理部１６０は、入力部１２０を介して外部機器に対するペアリング要求が入力されると、入力されたペアリング要求に該当する外部機器とペアリングを行うことができる。
【００３２】
具体的に、ユーザの要求に応じて、入力部１２０を介して外部機器に対するペアリング要求が入力されると、ペアリング処理部１６０は入力されたペアリング要求に該当する外部機器に対するペアリング情報が保存部１３０に保存されているかをチェックする。ここで、保存部１３０は、上述のように、アプリケーションがインストールされたインストール情報及びインストールされたアプリケーションのうち、少なくとも何れか一つのアプリケーションの自動実行のためのログイン情報が保存され、更に少なくとも一つの外部機器の識別情報を含むペアリング情報が保存される。即ち、少なくとも一つの外部機器とペアリングが行われた履歴がある場合、保存部１３０には当該外部機器の識別情報を含むペアリング情報が保存されてよい。
【００３３】
従って、ペアリング処理部１６０は、ユーザの要求による外部機器とペアリングを行った履歴があるかを判断するために、保存部１３０を参照して当該外部機器のペアリング情報が保存されているかをチェックする。チェックの結果、ペアリングしようとする外部機器のペアリング情報が保存部１３０に保存されているとチェックされると、ペアリング処理部１６０は保存部１３０から当該外部機器のペアリング情報を読み取り、その読み取られたペアリング情報を用いて外部機器とペアリングを行う。
【００３４】
このように、ペアリング情報を用いて外部機器とペアリングを行うことは、公知の技術であるため、本発明ではディスプレイ装置と外部機器との間のペアリングを行う動作に対する説明に対しては省略する。
【００３５】
一方、チェックの結果、ユーザが要求した外部機器のペアリング情報が保存部１３０に保存されていないとチェックされると、ペアリング処理部１６０は、通信部１１０を介してペアリングが可能な周辺機器の探索を行い、探索された周辺機器リストをディスプレイ部１５０を介して画面上にディスプレイする。ディスプレイされた周辺機器リストの中から、一つの周辺機器がユーザにより選択されると、ペアリング処理部１６０は選択された周辺機器とペアリングを行い、ペアリングされた周辺機器のペアリング情報を保存部１３０に保存する。一方、通信部１１０を介して外部機器からペアリング要求情報が受信されると、ペアリング処理部１６０はペアリング要求情報を伝送した外部機器に、保存部１３０に予め保存された自らの識別情報を含むペアリング情報を伝送することができる。
【００３６】
このように、周辺機器を探索して探索された周辺機器の中から選択された周辺機器とペアリングを行うか、外部機器のペアリング要求に応じて当該外部機器とペアリングを行うことは、公知の技術であるため、本発明では探索された周辺機器とペアリングを行う動作に対する説明は省略する。
【００３７】
このように、ペアリング処理部１６０を介してユーザが要求した外部機器とペアリングが行われると、制御部１４０は、上述のように、ユーザにより選択されたアプリケーションのログイン情報をペアリングされた外部機器から受信し、受信したログイン情報を用いてアプリケーションの自動ログインを行うことができる。
【００３８】
以下では、上述の動作説明に対して、実施形態を参照してより詳細に説明する。
図２は、本発明の一実施形態に係るディスプレイ装置でペアリングされた外部機器に保存されたログイン情報を用いてアプリケーションを実行する動作の例示図である。
【００３９】
図２に示すように、ディスプレイ装置２２０とモバイル機器２１０との間にペアリングされてよい。このように、ディスプレイ装置２２０とモバイル機器２１０との間にペアリングされた状態で、ユーザはリモコンのような遠隔制御装置を用いてディスプレイ装置２２０にインストールされた複数のアプリケーションのうち、“フェイスブック（登録商標）”のアプリケーションを選択することができる。
【００４０】
このような選択命令が入力されると、ディスプレイ装置は“フェイスブック（登録商標）”のアプリケーションを実行するために、ペアリングされたモバイル機器２１０に“フェイスブック（登録商標）”のアプリケーションのログイン情報要求メッセージを伝送する。ログイン情報要求メッセージを受信したモバイル機器２１０は、ログイン情報要求メッセージに含まれたアプリケーション識別情報を参照して予め保存された“フェイスブック（登録商標）”のアプリケーションのログイン情報をディスプレイ装置２１０に伝送する。このように、“フェイスブック（登録商標）”のアプリケーションに対するログイン情報をディスプレイ装置２２０に伝送するモバイル機器２１０は、“フェイスブック（登録商標）”のアプリケーションプログラムがインストールされており、“フェイスブック（登録商標）”のアプリケーションのログイン情報が保存されていることが望ましい。
【００４１】
しかし、本発明は、それに限らずに、モバイル機器２１０は、“フェイスブック（登録商標）”のアプリケーションがログイン情報が保存されていない場合にも“フェイスブック（登録商標）”のアプリケーションのログイン情報を伝送することができる。即ち、モバイル機器２１０上において、現在“フェイスブック（登録商標）”のアプリケーションに対するログインとなって実行されている場合、モバイル機器２１０は、ディスプレイ装置２２０に“フェイスブック（登録商標）”のアプリケーションのログイン情報を伝送することができる。
【００４２】
一方、ログイン情報を要求した外部機器からログイン情報が受信されていない場合、ペアリング処理部１６０は、制御部１４０の制御命令に応じて、当該アプリケーションがインストールされた外部機器（以下、他機器という）とのペアリングを行うことができる。具体的に、保存部１３０は、ペアリングされた外部機器のペアリング情報とともに外部機器のそれぞれの機器情報が保存されることが望ましい。ここで、機器情報は、それぞれの外部機器別にインストールされたアプリケーション情報であってよい。
【００４３】
従って、最初にペアリングされた外部機器から要求したログイン情報が予め設定された臨界時間内に受信されていない場合、制御部１４０は、ペアリングされた外部機器に当該アプリケーションの自動実行のためのログイン情報が保存されていないと判断し、他機器とペアリングを行うようにペアリング処理部１６０を制御する。このような制御命令に応じて、ペアリング処理部１６０は、保存部１３０に保存された外部機器別の機器情報を参照して、ユーザが要求したアプリケーションがインストールされた他機器のペアリング情報を読み取る。その後、ペアリング処理部１６０は、読み取られたペアリング情報を用いて他機器とペアリングを行う。このように、ペアリング処理部１６０を介して他機器とペアリングが完了すると、制御部１４０は、上述のように、通信部１１０を介してペアリングされた他機器からログイン情報を受信することができる。
【００４４】
例えば、図２に示すように、ユーザから“フェイスブック（登録商標）”のアプリケーションが選択され、その選択された“フェイスブック（登録商標）”のアプリケーションがログイン情報をペアリングされたモバイル機器２１０に要求することができる。この場合、モバイル機器２１０から予め設定された臨界時間内に“フェイスブック（登録商標）”のアプリケーションのログイン情報が受信されていない場合、ディスプレイ装置２２０は、他機器であるタブレットパソコン２１１とペアリングを行う。タブレットパソコン２１１とディスプレイ装置２２０との間のペアリングが完了すると、ディスプレイ装置２２０は、ペアリングされたタブレットパソコン２１１に“フェイスブック（登録商標）”のアプリケーションのログイン情報を要求することができる。その後、予め設定された臨界時間内にペアリングされたタブレットパソコン２１１から“フェイスブック（登録商標）”のアプリケーションのログイン情報が受信されると、ディスプレイ装置は受信されたログイン情報を用いて“フェイスブック（登録商標）”のアプリケーションの自動ログインを行うことにより、画面上には“フェイスブック（登録商標）”のアプリケーションに対応する実行画面２２１がディスプレイされてよい。
【００４５】
一方、ペアリングされたタブレットパソコン２１１から“フェイスブック（登録商標）”のアプリケーションのログイン情報が受信されていない場合、ディスプレイ装置は“フェイスブック（登録商標）”のアプリケーションがインストールされたまた別の他機器にペアリングを行って“フェイスブック（登録商標）”のアプリケーションのログイン情報を要求し、それによるログイン情報を受信することができる。
【００４６】
一方、本発明の更なる形態により、ディスプレイ装置の制御部１４０は外部機器の要求に応じて、ディスプレイ装置内に保存されたアプリケーションのログイン情報を外部機器に伝送することができる。具体的に、制御部１４０は、通信部１１０を介してペアリングされた外部機器からアプリケーションを実行するためのログイン情報要求メッセージが受信されると、受信されたログイン情報要求メッセージに含まれたアプリケーションの識別情報を参照して、当該アプリケーションのログイン情報が保存されているかをチェックする。チェックの結果、要求したアプリケーションのログイン情報が予め保存されている場合、制御部１４０は、予め保存されたログイン情報を含む応答メッセージを外部機器に伝送することができる。それにより、外部機器はディスプレイ装置から受信したログイン情報を用いてユーザから選択されたアプリケーションのログインを行うことができる。
【００４７】
このように、本発明に係るディスプレイ装置は、ユーザの要求に該当するアプリケーションのログイン情報が予め保存されていない場合、周辺の外部機器から当該アプリケーションのログイン情報を受信してログインを行うか、外部機器に要求したアプリケーションのログイン情報を提供することができる。
【００４８】
これまで、本発明に係るディスプレイ装置の各構成について詳細に説明してきた。以下では、本発明に係るディスプレイ装置においてアプリケーションを実行する方法に対して詳細に説明する。
【００４９】
図３は、本発明の一実施形態に係るディスプレイ装置でアプリケーションを実行する方法のフローチャートである。
【００５０】
図３に示すように、ディスプレイ装置はユーザの要求により、周辺の外部機器のうちの一つの外部機器と無線通信のためのペアリングを行う（Ｓ３１０）。ここで、外部機器は、例えば、モバイル機器、タブレットパソコンのような無線通信端末装置として、このような外部機器とディスプレイ装置は、同じ無線通信モジュールを通じてデータ通信を行うことが望ましい。その後、ディスプレイ装置は、ユーザにより予めインストールされて保存されたアプリケーションのうちの一つのアプリケーションが選択されるかを周期的にチェックする（Ｓ３２０）。チェックの結果、予めインストールされた複数のアプリケーションのうちの一つのアプリケーションが選択されたとチェックされると、ディスプレイ装置は、選択されたアプリケーションに対応するログイン情報の保存有無に応じて、当該アプリケーションを実行するためのログイン情報が保存された外部機器にログイン情報を要求する（Ｓ３３０）。
【００５１】
その後、ディスプレイ装置は、ペアリングされた外部機器から要求したログイン情報が予め設定された臨界時間内に受信されたかをチェックする（Ｓ３４０）。チェックの結果、予め設定された臨界時間内に受信されたとチェックされると、ディスプレイ装置はペアリングされた外部機器から受信されたログイン情報を用いてユーザが選択したアプリケーションのログインを行い、ログインが完了すると、当該アプリケーションに対応する実行画面をディスプレイする（Ｓ３５０）。一方、チェックの結果、予め設定された臨界時間内にペアリングされた外部機器からログイン情報が受信されない場合、ディスプレイ装置は保存部に保存された外部機器のペアリング情報を用いて他機器とペアリングを行う（Ｓ３６０）。具体的に、保存部は少なくとも一つの外部機器とペアリングが行われた履歴がある場合、当該外部機器の識別情報を含むペアリング情報と当該外部機器において実行可能なアプリケーション情報が保存されてよい。
【００５２】
従って、ペライングされた外部機器から予め設定された臨界時間内にログイン情報が受信されていない場合、ディスプレイ装置はペアリングされた外部機器に当該アプリケーションの自動実行のためのログイン情報が保存されていないと判断し、他機器とペアリングを行う。このとき、ディスプレイ装置は、保存部に保存された外部機器別の機器情報を参照してユーザが選択したアプリケーションがインストールされた外部機器である他機器とペアリングを行うことが望ましい。
【００５３】
このように、ユーザが選択したアプリケーションがインストールされた他機器とのペライングが完了すると、ディスプレイ装置は、ステップＳ３３０を介してペアリングされた他機器にログイン情報を要求する。その後、ディスプレイ装置は、ペアリングされた他機器から予め設定された臨界時間内にログイン情報が受信されたかをチェックし、予め設定された臨界時間内にログイン情報が受信されると、受信されたログイン情報を用いてアプリケーションを実行し、予め臨界時間内にログイン情報が受信されていない場合、もう一つの他機器とペアリングを行ってログイン情報を要求することができる。
【００５４】
これまで、本発明に係るディスプレイ装置においてペアリングされた外部機器に保存されたログイン情報を用いてアプリケーションを実行する方法について、詳細に説明してきた。以下では、ディスプレイ装置でペアリングされた外部機器からログイン情報を要求する方法について、図４を通じて詳細に説明する。
【００５５】
図４は、本発明の一実施形態に係るディスプレイ装置でペアリングされた外部機器にログイン情報を要求する方法のフローチャートである。
【００５６】
図４に示すように、ユーザから予めインストールされた複数のアプリケーションのうちの一つのアプリケーションが選択されると、ディスプレイ装置は、選択されたアプリケーションの自動ログインのためのログイン情報が保存部に保存されているかをチェックする（Ｓ４１０）。チェックの結果、ユーザから選択されたアプリケーションに対応するログイン情報が保存部に保存されているとチェックされると、ディスプレイ装置は予め保存されたログイン情報を用いて当該アプリケーションのログインを行う（Ｓ４２０）。
【００５７】
一方、チェックの結果、ユーザから選択されたアプリケーションに対応するログイン情報が保存されていないとチェックされると、ディスプレイ装置は、ペアリングされた外部機器に当該アプリケーションのログインのためのログイン情報を要求する（Ｓ４３０）。具体的に、ユーザから選択されたアプリケーションに対応するログイン情報が保存されていないとチェックされると、ディスプレイ装置はペアリングされた外部機器にユーザから選択されたアプリケーションの識別情報を含むログイン情報要求メッセージを伝送する。
【００５８】
このようなログイン情報要求メッセージを受信した外部機器は、受信したログイン情報要求メッセージに含まれたアプリケーション識別情報を参照して予め保存されたアプリケーション別のログイン情報のうち、ユーザから選択されたアプリケーションに対応するログイン情報を獲得する。その後、ディスプレイ装置とペアリングされた外部機器は獲得したログイン情報を含む応答メッセージを伝送する。従って、ディスプレイ装置は、ペアリングされた外部機器から受信された応答メッセージに含まれたログイン情報を用いてユーザから選択されたアプリケーションのログインを行うことができる。
【００５９】
これまで、本発明に係るディスプレイ装置でペアリングされた外部機器にユーザから選択されたアプリケーションのログイン情報を要求する方法について、詳細に説明してきた。
【００６０】
以下では、本発明に係るディスプレイ装置において、外部機器に保存されたログイン情報を利用する前に、当該外部機器とペアリングを行う方法について、詳細に説明する。
【００６１】
図５は、本発明の一実施形態に係るディスプレイ装置で外部機器とペアリングを行う方法のフローチャートである。
【００６２】
図５に示すように、ディスプレイ装置は外部機器に保存されたアプリケーションのログイン情報を用いるために、ログイン情報が保存された外部機器とのペアリングが行われなければならない。従って、ディスプレイ装置は、少なくとも一つの外部装置とペアリングを行うために、最初にユーザからペアリング要求が入力される（Ｓ５１０）。ペアリング要求が入力されると、ディスプレイ装置は入力されたペアリング要求に該当する外部機器に対するペアリング情報が保存部に保存されているかをチェックする（Ｓ５２０）。
【００６３】
上述のように、少なくとも一つの外部機器とペアリングが行われた履歴があった場合、保存部には当該外部機器の識別情報を含むペアリング情報が保存されてよい。従って、ディスプレイ装置は、ペアリング要求が入力されると、保存部を参照して入力されたペアリング要求に該当する外部機器のペアリング情報が保存されているかをチェックすることができる。チェックの結果、ペアリング要求に該当する外部機器のペアリング情報が保存されている場合、ディスプレイ装置は保存部から当該外部機器のペアリング情報を読み取り、その読み取られたペアリング情報を用いて外部機器とペアリングを行う（Ｓ５３０）。
【００６４】
一方、チェックの結果、ペアリング要求に該当する外部機器のペアリング情報が保存されているとチェックされると、ディスプレイ装置はペアリングが可能な周辺機器の探索を行い、探索された周辺機器リストを画面上にディスプレイする。このような周辺機器リストがディスプレイされた状態で、ユーザからディスプレイされた周辺機器リストのうちの一つの周辺機器が選択されると、ディスプレイ装置は選択された周辺機器とペアリングを行い、ペアリングされた周辺機器のペアリング情報を保存部に保存する（Ｓ５５０）。
【００６５】
一方、ディスプレイ装置は、少なくとも一つの外部機器の要求に応じて、当該外部機器とペアリングを行い、ペアリングを要求した外部機器にログイン情報を提供することができる。具体的に、ディスプレイ装置は、少なくとも一つの外部機器からペアリング要求情報が受信されたかをチェックする（Ｓ５６０）。チェックの結果、ペアリング要求情報が受信されたとチェックされると、ディスプレイ装置はペアリング要求情報を伝送した外部機器に自分の識別情報を含むペアリング情報を伝送する（Ｓ５７０）。このように、ペアリング情報を伝送した外部機器とペアリングが行なわれた状態で、ディスプレイ装置は当該外部機器からログイン情報要求メッセージが受信されたかをチェックする（Ｓ５８０）。
【００６６】
チェックの結果、外部機器からログイン情報要求メッセージが受信されると、ディスプレイ装置は受信されたログイン情報要求メッセージに含まれたアプリケーションの識別情報を参照して当該アプリケーションのログイン情報が保存されているかをチェックする。チェックの結果、要求したアプリケーションのログイン情報が予め保存されていると、ディスプレイ装置はログイン情報要求メッセージを伝送した外部機器に保存されたログイン情報を含む応答メッセージを伝送することができる。それにより、外部機器はディスプレイ装置から受信したログイン情報を用いてユーザから選択されたアプリケーションのログインを行うことができる。
【００６７】
このように、本発明に係るディスプレイ装置は、ユーザ要求に該当するアプリケーションのログイン情報が保存されていない場合、周辺の外部機器から当該アプリケーションのログイン情報を受信してログインを行うか、又は、外部機器に要求したアプリケーションのログイン情報を提供することができる。
【００６８】
これまで、本発明に対してその好適な実施形態を中心に説明してきた。
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００６９】
１１０  通信部
１２０  入力部
１６０  ペアリング処理部
１４０  制御部
１３０  保存部
１５０  ディスプレイ部
Ｓ３１０  ペアリングを実行
Ｓ３２０  アプリケーションを選択？
Ｓ３３０  ログイン情報を要求
Ｓ３４０  ログイン情報が受信？
Ｓ３５０  アプリケーションを実行及び実行画面をディスプレイ
Ｓ３６０  予め保存された他機器とペアリングを実行
Ｓ４１０  ログイン情報が保存？
Ｓ４２０  アプリケーションを実行
Ｓ４３０  ログイン情報の要求及び受信
Ｓ５１０  ペアリング要求を入力
Ｓ５２０  ペアリング情報が保存？
Ｓ５３０  保存されたペアリング情報を用いてペアリングを実行
Ｓ５６０  ペアリング要求情報が受信？
Ｓ５７０  ペアリング情報を伝送
Ｓ５８０  ログイン情報要求メッセージが受信？
Ｓ５９０  ログイン情報を伝送
Ｓ５４０  ペアリング可能な周辺機器を探索
Ｓ５５０  探索された周辺機器のうちの一つにペアリングを要求
【図１】
0006049434.tif 000002
【図２】
0006049434.tif 000003
【図３】
0006049434.tif 000004
【図４】
0006049434.tif 000005
【図５】
0006049434.tif 000006